(57)【特許請求の範囲】
【請求項１】
一対のサイドプレート（１４，１４）の間に２つの巻取パイプ（１６，１７）が配置され、各巻取パイプ（１６，１７）にスクリーン（１８，１９）の一端が巻取り及び巻解き可能に連結されており、上方且つ正面側に配置される一方の巻取パイプ（１６）に連結されるスクリーン（１８）は、正面側から昇降するようになっており、且つ、その巻取り上限位置において、それぞれの巻取パイプ（１６，１７）に巻き取られたスクリーン（１８，１９）の巻取部分同士の間で形成される上下方向の隙間（Ｓ）を正面から見て覆い隠すように、その巻取り上限位置が設定されていることを特徴とするロールスクリーン。
【請求項２】
一方の巻取パイプ（１６）に連結されたスクリーン（１８）は、その巻取り上限位置において、他方の巻取パイプ（１７）に巻き取られたスクリーン（１９）の巻取部分を正面から見て覆い隠すように、その巻取り上限位置が設定されていることを特徴とする請求項１記載のロールスクリーン。
【請求項３】
前記一方の巻取パイプ（１６）に連結されたスクリーン（１８）は、その巻取り上限位置におけるスクリーン（１８）の下端が、他方の巻取パイプ（１７）に巻き取られたスクリーン（１９）の巻取部分の下端よりも下方になるように設定されていることを特徴とする請求項２記載のロールスクリーン。
【請求項４】
前記２つの巻取パイプ（１６，１７）は、前記一対のサイドプレート（１４，１４）間に上下２段に配置されたものであることを特徴とする請求項１ないし３のいずれか１項に記載のロールスクリーン。
【発明の詳細な説明】
【０００１】
【発明の属する技術分野】
本発明は、一対のサイドプレートの間に２つの巻取パイプを配置したロールスクリーンに関する。
【０００２】
【従来の技術】
従来のこの種のロールスクリーンとしては、例えば実開昭６２−１８９４９０号公報に記載されたものがある。
【０００３】
この公報に記載されたものは、ブラケットに２つの巻取パイプを支持して、２つの巻取パイプに、それぞれ異なる色柄のスクリーンの一端を巻取り巻解き可能に連結している。
【０００４】
【発明が解決しようとする課題】
ところで、ロールスクリーンは、取付場所によってその製品高さが異なるため、巻取パイプに巻取られたスクリーンの巻径は、製品ごとに異なる。また、同一高さのロールスクリーンであっても、スクリーンは材質その他によって生地厚がそれぞれ異なるためスクリーンの巻径が異なることがある。そのため、２つの巻取パイプ間の距離については、製品高さが大きなものや生地厚が大きいものでも、各巻取パイプがスクリーンを完全に巻き取ることができるように、余裕を持って設定されている。
【０００５】
したがって、上記公報に記載されたものは、逆に製品高さが小さいときや生地厚が薄いスクリーンを使用した場合には、２つの巻取パイプにそれぞれ巻き取られたスクリーンの巻取部分同士の間で形成される隙間から光漏れが生じるという問題がある。
【０００６】
また、２つの巻取パイプに上下方向の隙間を全く設けないように、即ち、水平方向に並べて配置することも可能であるが、このような構成にすると、製品の奥行幅が大きくなり、大型化するという問題がある。
【０００７】
本発明はかかる課題に鑑みなされたもので、２つの巻取パイプの間で形成される隙間からの光漏れを防止することができるロールスクリーンを提供することを目的とする。
【０００８】
【課題を解決するための手段】
前述した目的を達成するために、請求項１記載の発明は、一対のサイドプレートの間に２つの巻取パイプが配置され、各巻取パイプにスクリーンの一端が巻取り及び巻解き可能に連結されており、上方且つ正面側に配置される一方の巻取パイプに連結されるスクリーンは、正面側から昇降するようになっており、且つ、その巻取り上限位置において、それぞれの巻取パイプに巻き取られたスクリーンの巻取部分同士の間で形成される上下方向の隙間を正面から見て覆い隠すように、その巻取り上限位置が設定されていることを特徴とする。こうして、一方の巻取パイプに連結されたスクリーンの巻取り上限位置において、そのスクリーンの巻取パイプに巻き取られていないスクリーン部分が、前記隙間を覆い隠すために、該隙間からの光漏れを防止することができる。また、一方の巻取パイプに連結されたスクリーンを、正面側から昇降するように巻取パイプに巻取り及び巻解き可能に連結すると、スクリーンの巻取り上限位置において、そのスクリーンの巻取パイプに巻き取られていないスクリーン部分が、よりバランス的な役目を果たして、意匠性をより良好にすることができる。
【０００９】
請求項２記載の発明は、請求項１記載の一方の巻取パイプに連結されたスクリーンが、その巻取り上限位置において、他方の巻取パイプに巻き取られたスクリーンの巻取部分を正面から見て覆い隠すように、その巻取り上限位置が設定されていることを特徴とする。こうして、一方の巻取パイプに連結されたスクリーンの巻取り上限位置において、そのスクリーンの巻取パイプに巻き取られていないスクリーン部分が、他方の巻取パイプに巻き取られたスクリーンの巻取部分を覆い隠すために、意匠性を向上させることができる。
【００１０】
請求項３記載の発明は、請求項２記載の前記一方の巻取パイプに連結されたスクリーンは、その巻取り上限位置におけるスクリーンの下端が、他方の巻取パイプに巻き取られたスクリーンの巻取部分の下端よりも下方になるように設定されていることを特徴とする。こうして、一方の巻取パイプに連結されたスクリーンの巻取り上限位置において、そのスクリーンの巻取パイプに巻き取られていないスクリーン部分が、他方の巻取パイプに巻き取られたスクリーンの巻取部分を完全に覆い隠すために、意匠性を向上させることができる。
【００１１】
請求項４記載の発明は、請求項１ないし３のいずれか１項に記載のものにおいて、前記２つの巻取パイプは、前記一対のサイドプレート間に上下２段に配置されたものであることを特徴とする。こうして、上下２段に配置することにより、製品の奥行幅を大きくさせることなく、ロールスクリーン全体の寸法を小型化することができる。
【００１２】
【発明の実施の形態】
以下、図面を用いて本発明の実施の形態を説明する。
【００１３】
図１から図５は本発明のロールスクリーンの実施形態を表す図である。図において、ロールスクリーン１０は、窓枠に取り付けられるセットフレーム１２の両端に取り付けられた一対のサイドプレート１４を有しており、一対のサイドプレート１４の間に２つの巻取パイプ１６、１７が回転可能に支持されている。巻取パイプ１６と巻取パイプ１７は、上下２段に配置され、且つ前後方向に少し位置づれされて、配置されている。巻取パイプ１６は、巻取パイプ１７よりも上方に且つやや正面側に位置付けられている。巻取パイプ１６には、スクリーン１８の一端が連結されており、スクリーン１８は、巻取パイプ１６の正面側から昇降して巻取パイプ１６に巻取り及び巻解き可能となっている。一方の巻取パイプ１７は、巻取パイプ１６よりも下方に且つ背面側に位置づけられている。巻取パイプ１７には、スクリーン１９の一端が連結されており、スクリーン１９は、巻取パイプ１７の背面側から昇降して巻取パイプ１７に巻取り及び巻解き可能となっている。スクリーン１８，１９のそれぞれの下端には、ウエイトバー２０，２１が設けられており、さらに、そのスクリーン１８，１９の下端には、操作部２２，２３が取り付けられている。スクリーン１８，１９は、それぞれ全く同じ柄、同じ材質、同じ遮蔽度を持つものとすることもできるが、異なる柄、異なる材質、または異なる遮蔽度を持つものとすることができる。
【００１４】
巻取パイプ１６，１７には、それぞれその内部に、巻取パイプ１６，１７に対して常時スクリーン巻取方向に回転させる力を加える巻取スプリングと、巻取パイプ１６，１７の回転を停止させる状態と回転を許容する状態に切り換えるストッパ装置２６と、スクリーン１８，１９の巻取り上限を決める巻取り上限位置設定装置２８とが配設される。
【００１５】
上記ストッパ装置２６及び上限位置設定装置２８は、公知となった任意の装置を使用することができるが、その一例を図５に示す。図に示したように、ストッパ装置２６としては、ストッパ固定軸３０と、溝付きドラム３２と、ストッパケース３４と、ストッパケースキャップ３６と、クラッチスプリング３８と、ボール４０とを有している。
【００１６】
ストッパ固定軸３０は、その一端にフランジ部３０ａを有しており、このフランジ部３０ａに設けられた取付孔３０ｂを貫通するネジによって、サイドプレート１４に一体的に固定される。溝付きドラム３２は、ストッパ固定軸３０に軸支されており、その外周面には、前記ボール４０が摺動可能に嵌め込まれる溝３２ａが形成されている。溝３２ａには、ボール４０の摺動を止める複数の係止部が形成されている。
【００１７】
クラッチスプリング３８は、その一端がストッパ固定軸３０の周面に配置され、他端が溝付きドラム３２内へと挿入されており、ストッパ固定軸３０と溝付きドラム３２の連結と連結解除とを切換える役割をしている。また、ボール４０は、前記溝付きドラム３２の外周面の溝３２ａに摺動可能に嵌め込まれると共にストッパケース３４の内周面に形成された軸方向に伸びる溝３４ａ内に摺動可能に嵌め込まれており、よって、ボール４０はストッパケース３４と共に回転するようになっている。また、このストッパケース３４は、巻取パイプ１６，１７の内周面に嵌め込まれており、巻取パイプ１６，１７と一体的に回転する。
【００１８】
スクリーン１８，１９を下方へと引っ張り、巻取パイプ１６，１７をスクリーン１８，１９の巻解き方向へと回転しようとすると、ストッパケース３４が巻取パイプ１６，１７と共に回転し、ボール４０も共に回転して溝付きドラム３２の溝３２ａに形成された１つの係止部へと誘導される。そして、ボール４０が溝付きドラム３２をスクリーン１８，１９の巻解き方向へと押圧する。これによって、クラッチスプリング３８の他端がクラッチスプリング３８を緩める方向へと押されて、クラッチスプリング３８が緩み、溝付きドラム３２とストッパ固定軸３０との連結が解除されるので、溝付きドラム３２も共に回転する。こうして、巻取パイプ１６，１７はスクリーン１８，１９の巻解き方向へと回転することができ、スクリーン１８，１９は下降する。また、スクリーン１８，１９の下方方向へと引っ張る力を解除すると、巻取パイプ１６，１７は、巻取スプリングの力によってスクリーン１８，１９の巻取方向へと回転しようとする。これに伴い、ストッパケース３４が巻取パイプ１６，１７と共に回転し、ボール４０も共に先と反対方向へと回転して、溝付きドラム３２の溝３２ａの先の係止部から脱して、溝３２ａを相対的に移動して、別の係止部へと達して、溝付きドラム３２をスクリーン１８，１９の巻取方向へと押圧する。これによって、クラッチスプリング３８の他端がクラッチスプリング３８を締付ける方向へと押されて、クラッチスプリング３８が締付けられて、溝付きドラム３２とストッパ固定軸３０とを連結する。これにより、溝付きドラム３２が回転することができないために、ボール４０、ストッパケース３４及び巻取パイプ１６，１７の回転が禁止される。こうして、スクリーン１８，１９は停止する。この状態から、スクリーン１８，１９を少し引いて放すと、ボール４０は、溝付きドラム３２の溝３２ａの係止部を脱して、溝３２ａ内を移動可能となる。こうして、ボール４０が溝３２ａ内を移動可能であるために、ストッパケース３４及び巻取パイプ１６，１７はスクリーン１８，１９の巻取り方向へ回転することができて、スクリーン１８，１９は上昇する。
【００１９】
そして、スクリーン１８，１９が、巻取り上限位置設定装置２８によって設定される巻取り上限位置まで達すると、そこで巻取りが停止する。
【００２０】
この巻取り上限位置設定装置２８は、主軸４２と、ナット部材４４と、ケース４６と、コントロールバネ４８と、コントローラ５０と、規制部材５２とを有している。
【００２１】
主軸４２は、その一端がストッパ固定軸３０のフランジ部３０ａの内側に位置付けられて、前記ストッパ固定軸３０を貫通して、他端側のストッパ固定軸３０よりもさらに延長して延びており、この延びた部分が雄ネジの形成されたボルト軸４２ａとなっている。主軸４２の一端には、外径方向に突出した突出部４２ｂが形成されている。
【００２２】
ナット部材４４は、その内周面にボルト軸４２ａの雄ネジに螺合する雌ネジが形成されており、ボルト軸４２ａ上を移動可能となっている。また、ナット部材４４の外周面はケース４６の内周面と嵌合しており、ナット部材４４はケース４６と一体回転するようになっている。さらに、ケース４６の外周面は巻取パイプ１６，１７の内周面に嵌合しており、ケース４６は巻取パイプ１６，１７と一体回転するようになっている。ボルト軸４２ａの一端側には、規制部材５２が設けられている。
【００２３】
コントロールバネ４８は、ストッパ固定軸３０のフランジ部３０ａの内側で且つ主軸４２の一端の外側に配置されており、主軸４２からの回転は阻止する一方で、コントローラ５０からの回転を主軸４２へ伝達する作用を果たしている。即ち、主軸４２が回転しようとして、突出部４２ｂが回転してコントロールバネ４８の端部のいずれか一方に当接すると、コントロールバネ４８を拡径してコントロールバネ４８がストッパ固定軸３０の内周面に締付けられて、主軸４２の回転が阻止される。他方、コントローラ５０を回転させると、コントロールバネ４８は縮径されてストッパ固定軸３０から解放されるために、主軸４２がコントロールバネ４８と共に回転可能となる。
【００２４】
コントローラ５０の突出部５０ａが形成された側と反対側の一端側は、サイドプレート１４を貫通して、サイドプレート１４の側方面側を臨んでおり、その中心部には、非円形の作業孔５０ｂが形成されている。
【００２５】
以上のように構成される巻取り上限位置設定装置２８を用いて、上限位置を設定する場合には、まず、スクリーン１８，１９を、巻取り上限位置としたい位置まで巻取り、そこで前述のように、ストッパ装置２６を作動させてスクリーン１８，１９を停止させる。
【００２６】
次に、六角レンチ等の工具を、前記コントローラ５０の作業孔５０ｂに差込み、コントローラ５０を回転させる。コントローラ５０を回転させると、上述したように、コントロールバネ４８が緩み、主軸４２が回転する。このとき、ストッパ装置２６によって巻取パイプ１６，１７は、ストッパ固定軸３０と連結しており、巻取パイプ１６，１７は回転することができないために、主軸４２のボルト軸４２ａに螺合したナット部材４４も回転できず、ナット部材４４は、ボルト軸４２ａ上を軸方向に移動する。こうして、ナット部材４４を規制部材５２に当接させてナット部材４４が動かなくなるまで、軸方向に移動させる。そして、工具を取り外せば、設定は完了する。
【００２７】
巻取パイプ１６，１７が回転すると、巻取パイプ１６，１７と共にナット部材４４が回転するが、ボルト軸４２ａが回転することができないために、ナット部材４４は回転しながらボルト軸４２ａ上を軸方向に移動する。そして、ナット部材４４が規制部材５２と当接すると、それ以上ボルト軸４２ａ上を軸方向に移動することができなくなるため、ナット部材４４は回転することができず、巻取パイプ１６，１７も回転が阻止される。このときがスクリーン１８，１９の巻取り上限位置となる。
【００２８】
上記巻取パイプ１６内に配設された上限位置設定装置２８によって設定されるスクリーン１８の巻取り上限位置は、そのときのスクリーン１８の下端（ウエイトバー２０も含めて）の位置が、図２に示すように、巻取パイプ１７に完全に巻き取られたスクリーン１９の巻取部分の下端とほぼ同じか下端よりも下方の位置となるように設定されている。一方、上記巻取パイプ１７内に配設された上限位置設定装置２８によって設定されるスクリーン１９の巻取り上限位置は、巻取パイプ１７にほぼ完全にスクリーン１９が巻き取られた位置に設定されている。
【００２９】
以上のように構成されるロールスクリーン１０において、スクリーン１８を巻取パイプ１６に巻取っていくと、上限位置設定装置２８により、図２に示すようにスクリーン１８が完全に巻き取られずに、設定された上限位置で停止する。このとき、スクリーン１８の巻取パイプ１６に巻き取られない部分が、巻取パイプ１６に巻き取られたスクリーン１８の巻取部分と巻取パイプ１７に巻き取られたスクリーン１９の巻取部分との間に形成される上下方向の隙間Ｓを覆い隠しており、これにより、該隙間Ｓからの光漏れを防止することができる。さらに、巻取り上限位置で停止したスクリーン１８が、正面から見て巻取パイプ１７に巻き取られたスクリーン１９の巻取部分を覆い隠して、バランスと同じ役目を果たすために全体の意匠性が良好となっている。このように巻取パイプ１６，１７を上下２段に配置することができるために、製品の奥行幅を大きくさせることなく、ロールスクリーン全体の寸法の小型化が図られている。
【００３０】
図２の状態からスクリーン１８のみを降ろすと、図３に示す状態となる。または、図２の状態からスクリーン１９のみを降ろすと、図４に示す状態となる。スクリーン１８，１９を切り替えて変化に富んだロールスクリーンとすることができる。
【００３１】
尚、以上の実施形態においては、巻取パイプ１６の上限位置設定装置２８によって設定されるスクリーン１８の上限位置を、図２に示すような位置としたが、これに限るものではない。最低限、正面からみて巻取パイプ１６に巻き取られたスクリーン１８の巻取部分と巻取パイプ１７に巻き取られたスクリーン１９の巻取部分の間に形成される上下方向の隙間Ｓを覆い隠すように、スクリーン１８の下端（ウエイトバー２０も含めて）をその隙間Ｓの下端とほぼ同じか、隙間Ｓの下端よりも下方に設定すれば、隙間Ｓからの光漏れをかなり防止することができる。
【００３２】
また、この巻取パイプ１７のスクリーン１９は、完全に巻き取ることができるために、巻取パイプ１７の内部には上限位置設定装置２８を設けずに省略することも可能である。しかしながら、巻取パイプ１７内にも上限位置設定装置２８を設けて、スクリーン１９がほぼ完全に巻き取られた位置を上限位置とすることによって、巻取パイプ１７の空転を防止することができる。
【００３３】
【発明の効果】
以上説明したように、本発明によれば、一方の巻取パイプに連結されたスクリーンが最大限巻き取られた巻取り上限位置にあるときに、一方の巻取パイプに巻き取られたスクリーンの巻取部分と他方の巻取パイプに巻き取られたスクリーンの巻取部分との間で形成される上下方向の隙間を正面から見て覆い隠すために、該隙間からの光漏れを防止することができる。さらに、一方の巻取パイプに連結されたスクリーンが最大限巻き取られた巻取り上限位置にあるときに、他方の巻取パイプに巻き取られたスクリーンの巻取部分を正面から見て覆い隠す場合には、一方の巻取パイプのスクリーンの巻き取られない部分がバランスの役目を果たすために、全体の意匠性を向上させることができる。
【図面の簡単な説明】
【図１】本発明のロールスクリーンの実施形態を表す全体正面図である。
【図２】図１のロールスクリーンの横断面図であり、一方の巻取パイプのスクリーンが巻取り上限位置にある状態を表す。
【図３】図２の状態から、上方の巻取パイプからスクリーンを巻解いた状態を表す横断面図である。
【図４】図２の状態から、下方の巻取パイプからスクリーンを巻解いた状態を表す横断面図である。
【図５】ストッパ装置及び上限位置設定装置の一例を表す断面図である。
【符号の説明】
１０  ロールスクリーン
１４  サイドプレート
１６，１７  巻取パイプ
１８，１９  スクリーン
Ｓ  隙間
【図１】
0003765996.tif 000002
【図２】
0003765996.tif 000003
【図３】
0003765996.tif 000004
【図４】
0003765996.tif 000005
【図５】
0003765996.tif 000006